(57)【要約】【課題】状態履歴情報参照者ごとに予め設定された参照範囲とデータ形式で、参照者の所望する時に参照可能となり、統計や動向分析や行動管理や勤務管理等にこれを利用できるようにする。【解決手段】サーバ３１にて状態情報の更新履歴を予め指定される任意の期間蓄積し、任意のネットワーク０１に接続された任意の状態履歴参照用端末４１からアクセスすることで、統計、分析、管理等に利用される情報の提供を行う。具体的には、状態通知端末１１，１２と状態参照用端末２１〜２３の間に位置し、状態情報の開示制御を行うために設置されたサーバ３１において、各個人の状態情報の履歴を、予め指定された一定期間だけ蓄積し、任意の端末４１からの参照によって任意の形式で表現された履歴情報として提供する。【選択図】        図１
2004192298.tif 000002
【特許請求の範囲】
【請求項１】
ネットワークに接続された端末装置間で、端末利用者個人、動物あるいは物体に関する状況、気持ちを含む状態情報を、予め利用者により設定された通知先情報に従って相互に送受信するために、該状態情報をサーバに蓄積する状態情報蓄積方法であって、
該サーバは、状態情報通知者ごと、かつ状態情報通知端末ごと、かつ状態情報項目ごと、かつ状態情報属性値更新時刻ごとに、端末利用者個人、該個人に係る動物、あるいは該個人に係る物体を含む任意のオブジェクトに関する状態情報に関連する任意の情報を蓄積し、かつ該状態情報を参照することを特徴とする状態情報蓄積方法。
【請求項２】
請求項１に記載の状態情報蓄積方法において、
前記サーバに蓄積される状態情報は、保存期間として、状態情報通知者ごとに任意の期間が予め設定され、設定された保存期間が超過すると、自動的に蓄積された該状態情報を削除することを特徴とする状態情報蓄積方法。
【請求項３】
請求項１に記載の状態情報蓄積方法において、
前記サーバに蓄積される状態情報は、任意のネットワークを介して接続される任意の端末から予め登録された参照者により、予め登録された参照データ範囲で、ＣＳＶを含む任意のデータ形式により参照されるか、あるいは取得されることを特徴とする状態情報蓄積方法。
【請求項４】
ネットワークに接続された複数の端末間で、端末利用者個人、動物あるいは物体に関する状況、気持ちを含む状態情報を、予め利用者により設定された通知先情報に従って相互に送受信するために、該状態情報をサーバに蓄積するための状態情報蓄積システムであって、
個人や物や動物の状況や気持ちを含む状態情報を送信する状態通知用端末と、
該状態情報に関連する任意の情報を予め定めた期間だけ蓄積するサーバと、
該サーバから予め設定された通知先情報に従って状態情報が送信される状態参照用端末と、該サーバに対して状態履歴蓄積要求を行うことにより、該サーバに状態情報の履歴の蓄積を開始させ、履歴参照要求を行うことにより蓄積された履歴情報を該サーバから取得する状態履歴参照用端末とを具備したことを特徴とする状態情報蓄積システム。
【請求項５】
請求項１に記載の状態情報蓄積システムにおいて、
前記サーバは、ネットワークを介して他の端末との間でデータをやりとりするデータ送受信手段と、前記状態通知用端末から送られてきた全情報を蓄積する状態情報蓄積手段と、該状態情報を他のデータ形式に変換する状態情報変換手段と、蓄積手段に対して状態情報をアクセス制御する状態情報アクセス制御手段と、該蓄積手段内の状態情報を削除するための状態情報削除手段と、蓄積された状態情報をどこに通知するかの通知先を管理する状態通知先情報管理手段とを具備したことを特徴とする状態情報蓄積システム。
【請求項６】
請求項１に記載の状態情報蓄積システムにおいて、
前記状態通知用端末は、他の端末との間でデータを送受信するデータ送受信手段と、受信した情報、あるいは入力した情報を画面に表示する表示手段と、キーボードを含む操作手段と、受信した状態情報や処理後のデータを蓄積する状態情報記録手段と、入力パネルを含む状態入力手段とを備えたことを特徴とする状態情報蓄積システム。
【請求項７】
状態更新時に状態履歴をサーバに蓄積することを開始させるプログラムであって、
サーバコンピュータに、状態履歴参照用端末から状態履歴の蓄積を行う指示と、本人であることを証明するためのＩＤ情報とパスワードを受信する手順、受信したメッセージに含まれる情報を参照し、状態履歴参照要求者の特定と認証を行う手順、それ以降に当該状態情報通知者に関する状態更新があった場合には、状態情報を蓄積する手順をそれぞれ実行させるためのプログラム。
【請求項８】
状態更新時に状態履歴をサーバに蓄積するプログラムであって、
サーバコンピュータに、状態通知用端末から状態情報の更新を要求するメッセージを受信する手順、状態通知先情報管理手段により管理されているデータを参照し、更新された状態の通知先を特定する手順、特定された通知先へ、データ送受信手段により送信する手順、受信したメッセージに基づき、状態通知者、状態通知用端末、状態項目、状態項目値、更新時刻、履歴削除日等の状態更新に関連する情報を状態情報蓄積手段に蓄積する手順、履歴削除日の算出のために、更新時刻と状態通知者ごとの保存期間の情報を特定する手順とをそれぞれ実行させるためのプログラム。
【請求項９】
状態履歴参照要求者により状態履歴参照を行うためのプログラムであって、
サーバコンピュータに、状態履歴参照用端末から状態履歴参照要求、本人であることを証明するためのＩＤ情報とパスワードを含むメッセージを受信する手順、受信したメッセージに含まれる情報を参照し、状態履歴参照要求者の特定と認証を行う手順、状態履歴参照可能状態情報通知者ＩＤと状態履歴データ形式を特定する手順、状態情報蓄積手段に蓄積されている状態履歴情報の中から、状態情報変換手段により特定された状態通知者に関する履歴情報を抽出するとともに、特定されたデータ形式に変換する手順、生成した履歴情報を要求元にデータ送受信手段により返送する手順を、それぞれ実行させるためのプログラム。
【請求項１０】
状態履歴情報を削除するためのプログラムであって、
サーバコンピュータに、状態情報削除手段により状態情報蓄積手段に蓄積された状態履歴情報を１件する抽出する手順、抽出した情報における履歴削除日と現在日とを比較し、前者の方が古い場合に抽出した情報を削除する手順、全ての状態履歴情報に対して処理を施したか否かを確認し、未実施の場合には繰り返し実行する手順、起動時刻、終了時刻、全数、削除数を含む状態履歴削除処理の結果を、任意のサーバ保守端末に通知する手順を、それぞれ実行させるプログラム。
【請求項１１】
請求項７〜１０のいずれかに記載のプログラムを記録したことを特徴とするコンピュータ読み取り可能な記録媒体。
【発明の詳細な説明】
【０００１】
【発明の属する技術分野】
本発明は、ネットワークに接続された端末（ＰＣ（パーソナルコンピュータ）、ＰＤＡ（Ｐｅｒｓｏｎａｌ  Ｄｉｇｉｔａｌ  Ａｓｓｉｓｔａｎｔｓ）、携帯電話機等）間において、状況や気持ち等の状態情報を予め設定した通知先情報に従って、相互に送受信する情報通信システムにおいて、サーバにて状態情報を予め指定した期間だけ蓄積保存することが可能であり、それらを任意の端末から任意の形式で参照することが可能な状態情報蓄積方法および蓄積システム、ならびにそのプログラムに関する。
【０００２】
【従来の技術】
従来より、利用者の状態情報（例えば『食事中』，『会議中』等）を発信したり、受信するツールとしては、例えばＹａｈｏｏ！メッセンジャー、ＭＳＮメッセンジャー、Ｎｉｆｔｙメッセンジャー等のインスタントメッセンジャーがある（例えば、特許文献１、非特許文献１参照）。これらのツールにおいては、各個人の状態情報の利用方法は、状態を参照している利用者に通知するのみであり、状態が更新される場合には、過去の状態は削除されているのが一般的であった。
【０００３】
例えば、特開２００２−７３５１２号公報に記載の『状況通知ネットワークシステム及びコンピュータ可読媒体』では、各ユーザが自分のユーザ端末において、他のユーザ端末のユーザの状況を把握することができる状況通知ネットワークシステムが開示されている。インストールされている状況通知プログラムがユーザ端末で初めに実行されると、ユーザに対して自ユーザＩＤの設定作業を行うことを要求する。
【０００４】
ユーザが設定作業を行うと、ユーザ端末はユーザＩＤを含む登録依頼通知をサーバ装置に送信する。これにより、サーバ装置は、ユーザＩＤと在席を示す状況情報と登録依頼通知を出した端末のＩＰアドレスとを含むレコードを状況管理データベースに追加した後、登録完了の通知をユーザ端末に返送する。このようにして、状況通知ネットワークシステムは、個々のユーザ端末に自ユーザＩＤが設定されているユーザＩＤが、全て状況管理データベースに記憶されている状態で動作する。
【０００５】
【特許文献１】
特開２００２−７３５１２号公報
【非特許文献１】
『モバイル・インスタント・メッセージング・サービス市場の現状と今後』、竹上慶著、情報通信総合研究所ＩｎｆｏＣｏｍニューズレター、２００２年５月掲載、〔２００２年９月２８日検索〕、インターネット〈ＵＲＬ：ｈｔｔｐ：／／ｗｗｗ．ｉｃｒ．ｃｏ．ｊｐ．ｎｅｗｓｌｅｔｔｅｒ／ｒｅｐｏｒｔ／２００２／ｓ２００２ＴＳ１５８−ｈｔｍｌ〉
【０００６】
【発明が解決しようとする課題】
しかしながら、各個人や動物や物の状態情報の更新の履歴情報は、行動特性やトレンドの情報を含んでいると考えられるので、その履歴情報を蓄積し、適切なフォーマットや表現形式で表示することにより、統計、特性分析、行動管理等の任意の用途に利用できる可能性がある。
【０００７】
（目的）
本発明の目的は、上記のような従来の課題を解決するもので、従来は有効に利用されていなかった、状態通知者に関する状態の履歴情報を、履歴情報参照者ごとに予め設定された参照範囲とデータ形式で参照者の所望する時に参照可能にして、統計や動向分析や行動管理や勤務管理等に利用することができるような状態情報蓄積方法および蓄積システム、ならびにそのプログラムを提供することにある。
【０００８】
【課題を解決するための手段】
本発明の状態情報蓄積方法は、サーバにて状態情報の更新履歴を予め指定される任意の期間蓄積し、任意のネットワークに接続された任意の端末からアクセスすることで、統計、分析、管理等に利用される情報の提供を実現する。
具体的には、状態通知端末と状態参照用端末の間に位置し、状態情報の開示制御を行うために設置されたサーバにおいて、各個人の状態情報の履歴を、予め指定された一定期間だけ蓄積し、任意の端末からの参照によって任意の形式で表現された履歴情報として提供する。
【０００９】
【発明の実施の形態】
以下、本発明の実施形態について、図面により詳細に説明する。
図１は、本発明の実施形態を示す状態情報蓄積システムの構成図である。
図１において、０１はインターネット等のネットワークであり、これには、状態通知用端末１１，１２（ＰＣ、ＰＤＡ、携帯電話機など）と、状態参照用端末２１，２２，２３（ＰＣ、ＰＤＡ、携帯電話機など）と、状態情報の収集、開示制御、蓄積を行うサーバ３１と、状態履歴参照用端末４１（ＰＣ、ＰＤＡ、携帯電話機など）とが接続されている。なお、状態通知用端末１１，１２と状態参照用端末２１〜２３と、状態履歴参照用端末４１は、全てあるいは部分的に物理的に同一の装置であっても構わない。
【００１０】
状態通知用端末１１，１２からは、個人や物や動物の状況や気持ち等の状態情報を送信する。サーバ３１は、これらの状態情報に関連する任意の情報を予め定めた期間だけ蓄積し、状態参照用端末２１〜２３に配布する。状態参照用端末２１〜２３では、登録された参照者により予め登録された参照データ範囲の任意のデータ形式により参照または取得することができる。また、状態履歴参照用端末４１から状態履歴蓄積要求があれば状態情報の履歴の蓄積を開始し、状態履歴参照用端末４１から履歴参照要求があれば、履歴情報をサーバ３１から提供する。
【００１１】
図２は、図１における状態通知用端末の構成例を示す図である。
状態通知用端末１１，１２は、他の端末との間でデータを送受信するデータ送受信手段１０４と、受信した情報、あるいは入力した情報を画面に表示する表示手段１０１と、キーボードなどの操作手段１０２と、端末全体を制御する端末制御手段１０３と、受信した状態情報や処理後のデータを蓄積する状態情報記録手段１０５と、入力パネル等の状態入力手段１０６とを備えている。
【００１２】
状態通知用端末１１，１２から送信された状態情報は、サーバ３１に蓄積され、状態参照用端末２１〜２３に配布された後、状態参照用端末２１〜２３の表示画面に、状態通知用端末の利用者、すなわち状態情報通知者ごとに、個人や動物や物体等の任意のオブジェクトに関する状態情報を表示することができる。
【００１３】
図３は、図１におけるサーバの構成例を示す図である。
サーバ３１は、ネットワークを介して他の端末、すなわち状態通知用端末１１，１２、状態参照用端末２１〜２３、あるいは状態履歴参照用端末４１との間でデータをやりとりするデータ送受信手段３０１と、サーバ３１の全体を制御するサーバ制御手段３０２と、状態通知用端末１１，１２から送られてきた全情報を蓄積する状態情報蓄積手段３０３と、状態情報を他のデータ形式に変換する状態情報変換手段３０４と、蓄積手段３０３に対して状態情報をアクセス制御する状態情報アクセス制御手段３０５と、蓄積手段３０３内の状態情報を削除するための状態情報削除手段３０６と、蓄積された状態情報をどこに通知するかの通知先を管理する状態通知先情報管理手段３０７とを備えている。
【００１４】
図４は、サーバに蓄積される状態情報のデータ構造例を示す図である。
状態情報としては、状態情報ごとに、その情報の通知元の識別番号である状態通知者ＩＤと、状態通知端末ＩＤ（ＩＤアドレス）（ＰＣか、携帯か、ＰＤＡかの区別とその番号）と、状態更新時刻（年月日時分）と、更新対象状態情報項目（行動か、位置か、気持ちかの区分）と、更新対象状態情報項目値（休憩中か、仕事中か、睡眠中か、寂しい気持ちか、位置はどこか等の事項）と、履歴削除日（年月日）とが記述される。
【００１５】
図５は、サーバに蓄積される状態情報の蓄積期間のデータ構造例を示す図である。
サーバ３１において状態通知者ごとに管理される状態情報蓄積期間は、通知者により指定される。それぞれの通知者ＩＤ毎に、２０日〜３６５日の期間が記述される。サーバ３１の状態情報削除手段３０６は、このデータを参照して削除対象データを特定する。なお、保存期間が修正された場合には、修正対象となる状態通知者に関するデータそれぞれの履歴保存期限を修正値に更新しておく必要がある。
【００１６】
図６は、サーバに蓄積された状態情報履歴へのアクセス制御リストのデータ構造例を示す図である。
サーバ３１により状態情報履歴参照要求者者ごとに管理される、状態情報履歴へのアクセスは、状態情報アクセス制御手段３０５により制御される。状態情報アクセス制御手段３０５は、本データを利用して、状態情報履歴参照要求者からの参照要求に対して、参照可否を判定する。
アクセス制御リストとしては、状態履歴参照要求者リスト（要求者名）と、パスワードと、状態履歴参照可能状態値情報通知者ＩＤ（通知者名または全員（ＡＬＬ）と、状態履歴データ形式（ＣＳＶ、テキスト、グラフ等の区分）の欄に区分されている。
【００１７】
図７は、サーバに蓄積される状態情報の状態通知先情報のデータ構造例を示す図である。
状態通知者が状態通知用端末１１，１２から状態情報をサーバ３１に対して登録または更新すると、この通知先情報のアドレスに従って状態参照端末２１〜２３に対して登録または更新された情報が送信される。
状態通知先情報リストとしては、状態通知者ＩＤと、状態通知先情報（状態通知先ＩＤ（通知先の名前）とアドレス）とが記述されている。
【００１８】
（動作シーケンス）
図８は、本発明の状態情報蓄積方法の動作シーケンスチャートである。
図８には、状態更新時に状態履歴をサーバに蓄積することの開始を指示する段階と、状態更新時に状態履歴がサーバに蓄積される段階と、状態履歴参照要求者が状態履歴参照を行う段階に分けてシーケンスが示されている。
左側から、状態通知者Ａ（状態通知用端末１１）と状態通知者Ｂ、状態履歴参照要求者Ｃ（状態履歴参照用端末４１）、サーバ３１、状態通知者Ａの通知先（状態参照用端末２１）と状態通知者Ｂの通知先（状態参照用端末２２）の順序で配列されている。
【００１９】
（ステップ−１０）では、状態履歴参照要求者は、状態履歴参照用端末４１を用いて、状態履歴の蓄積を行う旨を入力し、本人であることを証明するための、ＩＤ情報とパスワードを入力する。
（ステップ−９）では、状態履歴参照用端末４１は、ステップ７で入力された情報を含む状態履歴蓄積要求メッセージをサーバ３１に対して送信する。
（ステップ−８）では、サーバ３１は、状態情報アクセス制御手段３０５によりステップ８で受信したメッセージに含まれる情報（ＩＤとパスワード）と、図６で示されるようなデータを参照し、状態履歴参照要求者の特定と認証を行う。
【００２０】
（ステップ−７）では、サーバ３１は、ステップ−８と同様の手順を用いて状態履歴参照可能状態情報通知者ＩＤを特定する。
（ステップ−６）では、サーバ３１は、ステップ−７で特定された状態履歴参照可能状態情報通知者ＩＤを記憶し、それ以降に当該状態情報通知者に関する状態更新があった場合には、状態情報蓄積手段３０３に蓄積する準備を整える。
ただし、本発明においては、何等の蓄積要求を行わなくても、全ての状態情報通知者に関する状態更新履歴を蓄積するように構成することも可能である。そのようにした場合には、ステップ−１０から−６のステップは省略される。
【００２１】
（ステップ１）では、状態通知者が状態通知用端末１１の状態入力手段１０６により、自身の状態を更新する。
（ステップ２）では、状態通知用端末１１は、ステップ１にて入力された情報を含む更新を要求するメッセージをサーバ３１へ、データ送受信手段１０４により送信する。
（ステップ３）では、サーバ３１は、状態通知先情報管理手段３０７にて管理されている、図７に例示したデータを参照し、更新された状態の通知先を特定する。
【００２２】
（ステップ４）では、サーバ３１は、ステップ２にて受信された情報を含む状態を通知するメッセージをステップ３にて特定された通知先へ、データ送受信手段３０１により送信する。
（ステップ５）では、サーバ３１は、ステップ２にて受信されたメッセージに基づき、状態通知者、状態通知用端末、状態項目、状態項目値、更新時刻、履歴削除日等の状態更新に関連する情報を状態情報蓄積手段３０３により蓄積する。
ここで、ステップ５は、ステップ２の直後であっても構わない。また、履歴削除日の算出のためには、更新時刻と図５で例示される状態通知者ごとの保存期間の情報が利用される。
【００２３】
（ステップ６）は、状態通知者等が異なる点を除き、基本的にはステップ１〜５と同様の手順である。本ステップが、複数の状態通知者により繰り返されることにより、状態履歴情報がサーバ３１に蓄積されていく。
（ステップ７）では、状態履歴参照要求者は、状態履歴参照用端末４１を用いて状態履歴の参照を行う旨を入力し、本人であることを証明するためのＩＤ情報とパスワードを入力する。
（ステップ８）では、状態履歴参照用端末４１は、ステップ７で入力された情報を含む状態履歴参照要求メッセージをサーバ３１に対して送信する。
【００２４】
（ステップ９）では、サーバ３１は、状態情報アクセス制御手段３０５により、ステップ８で受信したメッセージに含まれる情報（ＩＤとパスワード）と、図６に例示されるようなデータを参照し、状態履歴参照要求者の特定と認証を行う。ただし、ステップ−１０〜−６による状態履歴蓄積要求時のセッションが継続されたままとなっている場合には、ステップ７〜９は省略されても構わない。
（ステップ１０）では、サーバ３１は、ステップ９と同様の手順を用いて、状態履歴参照可能状態情報通知者ＩＤと状態履歴データ形式を特定する。ここで、本発明においては、状態履歴データ形式は状態履歴参照要求者の全てに対して同一（例えば、一律、ＣＳＶ形式）としても構わない。
【００２５】
（ステップ１１）では、サーバ３１は、状態情報蓄積手段３０３により蓄積されている状態履歴情報の中から、状態情報変換手段３０４によりステップ１０で特定された状態通知者に関する履歴情報を抽出するとともに、同じくステップ１０にて特定されたデータ形式に変換する。
ここで、本発明においては、ステップ５で示される状態更新時に履歴を蓄積する際に、状態情報アクセス制御手段３０５にて格納されている図６のテーブルを利用して特定されるデータ形式に変換した上で蓄積するようにすることも可能である。このような方法にした場合には、ステップ１１におけるデータ形式変換は不要となる。
【００２６】
（ステップ１２）では、サーバ３１は、ステップ１１にて生成した履歴情報を、ステップ８で受信したメッセージの送信元へ、データ送受信手段３０１により返送する。
（ステップ１３）では、状態履歴参照用端末４１を利用する状態履歴参照要求者は、ステップ１２にて受信した履歴情報を参照、もしくは、ファイルとしてダウンロードする。ここで、状態履歴参照用端末４１は、受信した履歴情報を任意の方法で任意の表現形式（例えば、ＣＳＶ形時で受信して、グラフ形式に変換して表示する）に変換し、表示しても構わない。
【００２７】
図９は、蓄積することが不要になった状態履歴情報を削除する際の動作シーケンスチャートである。
左側から、サーバ保守端末（図１では、記載が省略されている）、サーバ３１の順に位置している。
（ステップ２１）では、サーバ３１は、状態情報削除手段３０６により保存期間の切れた状態履歴情報の削除処理を起動する。この処理は、予め設定された定刻に自動的に起動されるようにプログラムされていても構わないし、手動により起動されても構わない。
【００２８】
（ステップ２２）では、サーバ３１の状態情報削除手段３０６は、状態情報蓄積手段３０３より状態履歴情報を１件抽出する。
（ステップ２３）では、サーバ３１の状態情報削除手段３０６は、ステップ２２で抽出した情報における履歴削除日と現在日とを比較し、前者の方が古い場合に、ステップ２４に進み、その他の場合にはステップ２２に戻る。
（ステップ２４）では、サーバ３１の状態情報削除手段３０６は、ステップ２２で抽出した情報を削除する。
【００２９】
（ステップ２５）では、サーバ３１の状態情報削除手段３０６は、全ての状態履歴情報に対してステップ２３で示す処理を施したか否かを確認し、未実施の場合にはステップ２２に戻り、また実施済みの場合にはステップ２６に進む。
（ステップ２６）では、サーバ３１の状態情報削除手段３０６は、起動時刻、終了時刻、全数、削除数等を含む状態履歴削除処理の結果を、任意のサーバ保守端末に通知し、当該処理を終了する。
【００３０】
なお、図８の状態履歴情報の更新、蓄積、参照に関する処理手順、および図９の状態履歴情報の削除手順をそれぞれプログラムに変換し、変換されたプログラムをＣＤ−ＲＯＭ等の記録媒体に格納しておけば、プログラムの売買や譲渡の場合に引渡しに便利であり、また、任意のネットワークに接続された任意のコンピュータに記録媒体を装着して、プログラムをインストールすることで、これを実行させることにより、本発明を容易に実現することができる。
【００３１】
【発明の効果】
以上説明したように、本発明によれば、以下の通りの効果を奏する。
従来は有効に利用されていなかった、状態通知者に関する状態の履歴情報をサーバに予め指定された期間だけ蓄積することにより、状態履歴情報参照者ごとに予め設定された参照範囲とデータ形式で、参照者の所望する時に参照可能となるので、統計や動向分析や行動管理や勤務管理等にこれを利用することができる。
【図面の簡単な説明】
【図１】本発明の一実施形態を示す状態情報蓄積システムの全体構成図である。
【図２】図１における状態通知用端末のブロック構成図である。
【図３】図１におけるサーバのブロック構成図である。
【図４】サーバに蓄積される状態情報の構成例を示す図である。
【図５】サーバに蓄積される状態履歴の保存期間の構成例を示す図である。
【図６】サーバに蓄積される状態履歴参照要求者情報の構成例を示す図である。
【図７】サーバに蓄積される通知先情報のデータ構成例を示す図である。
【図８】本発明の一実施形態を示す状態履歴情報の更新、蓄積、参照に関する処理手順のシーケンスチャートである。
【図９】本発明の一実施形態を示す状態履歴情報の削除手順のシーケンスチャートである。
【符号の説明】
０１…ネットワーク、１１，１２…状態通知用端末、
２１，２２，２３…状態参照用端末、３１…サーバ、
４１…状態履歴参照用端末、１０１…表示手段、１０２…操作手段、
１０３…端末制御手段、１０４…データ送受信手段、
１０５…状態情報記録手段、１０６…状態入力手段、
３０１…データ送受信手段、３０２…サーバ制御手段、
３０３…状態情報蓄積手段、３０４…状態情報変換手段、
３０５…状態情報アクセス制御手段、３０６…状態情報削除手段、
３０７…状態通知先情報管理手段。
【図１】
2004192298.tif 000003
【図２】
2004192298.tif 000004
【図３】
2004192298.tif 000005
【図４】
2004192298.tif 000006
【図５】
2004192298.tif 000007
【図６】
2004192298.tif 000008
【図７】
2004192298.tif 000009
【図８】
2004192298.tif 000010
【図９】
2004192298.tif 000011